(57)【要約】【課題】パイロットバーナの点火装置として、パイロットバーナをメインバーナあるいは炉体に取り付けたままで、電流／電圧の検出手段の如き付加的な装置を必要とせずに、正常なスパークが発生しているか否かを確実に確認することができるパイロットバーナの点火装置を提供する。【解決手段】イグニションロッド１１とグラウンドロッド１２の先端同士がガスパイプ１５の炉外端に設けた覗き窓１９から視認可能な点を挟んで対向するように配置されている。【選択図】図１
2008209072.tif 000002
【特許請求の範囲】
【請求項１】
覗き窓を備えるパイロットバーナに取り付けられ、イグニションロッドとグラウンドロッドとを備え、前記イグニションロッドと前記グラウンドロッドとの間隙に高電圧によりスパークを発生させる点火装置であって、前記覗き窓から視認可能な点を挟んで前記イグニションロッドと前記グラウンドロッドの先端同士を配置したことを特徴とするパイロットバーナの点火装置。
【請求項２】
前記イグニションロッドと前記グラウンドロッドのそれぞれを、イグニションロッドおよびグラウンドロッドの両方の用途に使用可能に構成したことを特徴とする請求項１に記載のパイロットバーナの点火装置。
【発明の詳細な説明】
【技術分野】
【０００１】
本発明は、パイロットバーナの点火装置に関するものである。
【背景技術】
【０００２】
パイロットバーナの点火装置には、高電圧によりスパークを発生させる方法が一般的に用いられている（例えば特許文献１）。この点火装置を図４により説明する。
【０００３】
図４において、パイロットバーナ１の本体１ａが、図示しないメインバーナもしくは図示しない炉体に接続されることで電気的に接地されていて、その点火装置として、イグニションロッド（点火ロッド）１１が碍子１３およびプラグ１４によりパイロットバーナ本体１ａと絶縁された状態でパイロットバーナ本体１ａに取り付けられており、そのイグニションロッド（点火ロッド）１１に点火トランス２が接続している。ここで、点火トランス２により高電圧を印加すると、イグニションロッド１１と保炎筒１８との間隙にスパークＳが発生する。この状態で、ガスパイプ１５を通じて燃料ガスＧをバッフル１７前方へ噴出させるとともに、ガスパイプ１５とエアパイプ１６との隙間を通じて空気Ａをバッフル１７前方へ噴出させると、燃料ガスＧと空気Ａとが混合し、さらにスパークＳにより点火されて、保炎筒１８内で燃焼する。燃焼の状況は、ガスパイプ１５の炉外端に設けた覗き窓１９を通して目視により確認することができる。なお、ここでは、イグニションロッド１１をフレームロッド（火炎検出ロッド）と兼用とし、火炎検出アンプ３に接続して、火炎検出に用いることもできるようになっている。
【０００４】
上記の点火装置では、碍子１３ないしプラグ１４の破損や汚れにより短絡を生じると、正常なスパークＳが発生しなくなり、点火不能となる。
【０００５】
正常なスパークＳが発生しているか否かを確認するには、パイロットバーナ１をメインバーナあるいは炉体から取り外した上で、イグニションロッド１１に点火トランス２を接続し、高電圧を印加し、保炎筒１８の開口からスパークＳを目視することで確認することができる。
【０００６】
また、特許文献２では、正常なスパーク発生の確認方法として、点火装置における電流値あるいは電圧値が所定の範囲内にあることで確認する方法を例示している。
【特許文献１】特開平２−４０４１５号公報
【特許文献２】特開２００２−１３７３１号公報
【発明の開示】
【発明が解決しようとする課題】
【０００７】
しかしながら、特許文献１に記載の点火装置では、パイロットバーナをメインバーナあるいは炉体に取り付けた状態では正常なスパークが発生しているか否か判断できないため、スパークの正常／異常の判断（診断）のためには、パイロットバーナをメインバーナあるいは炉体から取り外さなければならず、取外し／取付け作業および前記作業の安全確保のための感電防止処置やガス中毒防止処置が必要となり、多大な労力を要するという問題があった。さらに、作業時間が長くなるため、その作業を行おうとする設備休止時間が短い場合にはスパークの診断が実施できないという問題があった。
【０００８】
また、特許文献２に記載の方法では、特に鋼帯の連続焼鈍炉のように、例えば３００本もの多数のパイロットバーナを備えた設備にあっては、多数の電流／電圧の検出手段が必要となり、設備費が高額になるという問題があった。さらに、多数の電流／電圧の検出手段の保守に多大な費用と労力とを要するという問題や、電流値／電圧値が所定の範囲を外れた場合に、それが電流／電圧の検出手段の故障に依るものか点火装置の故障に依るものかを区別できないという問題もあった。
【０００９】
本発明は、上記した従来技術の問題を解決するためになされたものであり、パイロットバーナの点火装置として、パイロットバーナをメインバーナあるいは炉体に取り付けたままで、電流／電圧の検出手段の如き付加的な装置を必要とせずに、正常なスパークが発生しているか否かを確実に確認することができるパイロットバーナの点火装置を提供するものである。
【課題を解決するための手段】
【００１０】
上記課題を解決するために、本発明は以下の特徴を有する。
【００１１】
［１］覗き窓を備えるパイロットバーナに取り付けられ、イグニションロッドとグラウンドロッドとを備え、前記イグニションロッドと前記グラウンドロッドとの間隙に高電圧によりスパークを発生させる点火装置であって、前記覗き窓から視認可能な点を挟んで前記イグニションロッドと前記グラウンドロッドの先端同士を配置したことを特徴とするパイロットバーナの点火装置。
【００１２】
［２］前記イグニションロッドと前記グラウンドロッドのそれぞれを、イグニションロッドおよびグラウンドロッドの両方の用途に使用可能に構成したことを特徴とする前記［１］に記載のパイロットバーナの点火装置。
【発明の効果】
【００１３】
本発明によれば、パイロットバーナをメインバーナあるいは炉体に取り付けたままで、電流／電圧の検出手段の如き付加的な装置を必要とせずに、正常なスパークが発生しているか否かを確実に確認することができる。
【００１４】
すなわち、前記［１］に係る発明によると、スパークはイグニションロッドとグラウンドロッドとの間隙であって覗き窓から視認可能な位置に発生し、パイロットバーナをメインバーナないしは炉体に取り付けたまま、スパークが正常か否かを覗き窓から目視により確認できるようになる。
【００１５】
さらに、前記［２］に係る発明によると、イグニションロッドが碍子ないしプラグの破損や汚れにより短絡を生じ使用不能となっても、当該イグニションロッドを電気的に接地してグラウンドロッドとして使用し、一方で、当初のグラウンドロッドを点火トランスに接続してイグニションロッドとして使用することが可能となるから、パイロットバーナをメインバーナないしは炉体に取り付けたまま再生使用できるようになる。
【発明を実施するための最良の形態】
【００１６】
本発明を実施するための最良の実施の形態を図面を参照しつつ説明する。
【００１７】
（第１の実施形態）
本発明の第１の実施形態を図１、図２に基づいて説明する。図１は全体断面図であり、図２は図１のＸ-Ｘ矢視図である。
【００１８】
図１、図２において、パイロットバーナ１の本体１ａが、図示しないメインバーナに組み込まれ、メインバーナを介して電気的に接地されており、この実施形態に係るパイロットバーナの点火装置として、イグニションロッド１１とグラウンドロッド（電気的に接地されたロッド）１２がパイロットバーナ本体１ａに取り付けられている。イグニションロッド１１は碍子１３とプラグ１４によりパイロットバーナ本体１ａと絶縁された状態で保持されるとともに、イグニションロッド１１とグラウンドロッド１２の先端同士がガスパイプ１５の炉外端に設けた覗き窓１９から視認可能な点を挟んで対向するように配置されている。
【００１９】
そして、プラグ１４より先端側がメインバーナ内に位置しており、イグニションロッド１１は、メインバーナの外部で点火トランス２に接続している。さらに、イグニションロッド１１はフレームロッドと兼用であり、火炎検出アンプ３にも接続している。
【００２０】
なお、イグニションロッド１１およびグラウンドロッド１２の先端は、火炎Ｆ中にあって高温となるため、溶損の少ないＳｉＣなどの高融点材料が適している。
【００２１】
この第１の実施形態は上記のように構成されており、次に、その作用について説明する。
【００２２】
点火トランス２により高電圧を印加すると、イグニションロッド１１とグラウンドロッド１２との間隙にスパークＳが発生する。この状態で、ガスパイプ１５を通じて燃料ガスＧをバッフル１７前方へ噴出させるとともに、ガスパイプ１５とエアパイプ１６との隙間を通じて空気Ａをバッフル１７前方へ噴出させると、燃料ガスＧと空気Ａとが混合し、さらにスパークＳにより点火して、保炎筒１８内で燃焼する。
【００２３】
スパークＳが発生するイグニションロッド１１とグラウンドロッド１２との間隙は、覗き窓１９から視認可能な位置にあるから、正常なスパークＳが発生しているか否かは、覗き窓１９からスパークＳを目視することで容易に確認することができる。
【００２４】
（第２の実施形態）
本発明の第２の実施形態を図３に基づいて説明する。この第２の実施形態は、基本的には前記の第１の実施形態と同様であるが、イグニションロッドとグラウンドロッドのそれぞれがイグニションロッドおよびグラウンドロッドの両方の用途に使用可能になっている点が異なっている。
【００２５】
図３において、パイロットバーナ１の本体１ａが、図示しないメインバーナに組み込まれ、メインバーナを介して電気的に接地されており、この実施形態に係るパイロットバーナの点火装置として、イグニションロッド１１とグラウンドロッド１２がパイロットバーナ本体１ａに取り付けられている。イグニションロッド１１とグラウンドロッド１２は、それぞれ碍子１３とプラグ１４によりパイロットバーナ本体１ａと絶縁された状態で保持されているとともに、イグニションロッド１１とグラウンドロッド１２の先端同士がガスパイプ１５の炉外端に設けた覗き窓１９から視認可能な点を挟んで対向するように配置されている。
【００２６】
そして、プラグ１４より先端側がメインバーナ内に位置しており、イグニションロッド１１は、メインバーナの外部で点火トランス２に接続されている。さらに、イグニションロッド１１はフレームロッドと兼用であり、火炎検出アンプ３にも接続している。一方、グラウンドロッド１２は、メインバーナの外部で導線２０を介してパイロットバーナ本体１ａに接続され、接地されている。
【００２７】
なお、イグニションロッド１１およびグラウンドロッド１２の先端は、火炎Ｆ中にあって高温となるため、溶損の少ないＳｉＣなどの高融点材料が適している。
【００２８】
この第２の実施形態は上記のように構成されており、次に、その作用について説明する。
【００２９】
点火トランス２により高電圧を印加すると、イグニションロッド１１とグラウンドロッド１２との間隙にスパークＳが発生する。この状態で、ガスパイプ１５を通じて燃料ガスＧをバッフル１７前方へ噴出させるとともに、ガスパイプ１５とエアパイプ１６との隙間を通じて空気Ａをバッフル１７前方へ噴出させると、燃料ガスＧと空気Ａとが混合し、さらにスパークＳにより点火して、保炎筒１８内で燃焼する。
【００３０】
スパークＳが発生するイグニションロッド１１とグラウンドロッド１２との間隙は、覗き窓１９から視認可能な位置にあるから、正常なスパークＳが発生しているか否かは、覗き窓１９からスパークＳを目視することで容易に確認することができる。
【００３１】
そして、この実施形態においては、イグニションロッド１１が碍子１３ないしプラグ１４の破損や汚れにより短絡を生じ使用不能となった場合は、イグニションロッド１１を点火トランス２から切離してパイロットバーナ本体１ａに接続し、グラウンドロッドとして使用し、一方で、当初グラウンドロッド１２として使用したロッドを点火トランス２に接続してイグニションロッドとして使用する。
【００３２】
イグニションロッド１１、グラウンドロッド１２ともに、プラグ１４より先端は、碍子１３とプラグ１４によりパイロットバーナ本体１ａとは絶縁されて保持されているから、前記のごとく接続を入れ替えるだけで機能を入れ替えることができ、かつ、イグニションロッド１１およびグラウンドロッド１２と点火トランス２およびパイロットバーナ本体１ａとの接続部はメインバーナの外部にあるから、前記接続の入れ替えはパイロットバーナ１をメインバーナに取り付けたまま行うことができる。
【００３３】
なお、上記の第１の実施形態および第２の実施形態では、ノズルミックスバーナの場合について説明したが、本発明はこれに限るものでなく、プレミックスバーナや噴霧バーナであってもよい。
【実施例１】
【００３４】
上記の第１の実施形態あるいは第２の実施形態において、イグニションロッド１１とグラウンドロッド１２の先端同士の間隔を５ｍｍとし、二次電圧７ｋＶの点火トランス２をイグニションロッド１１に接続して、パイロットバーナ１をメインバーナに取り付けたままでスパークＳを発生させたところ、昼間の明るい中でも、スパークＳを覗き窓１９から明瞭に視認することができた。
【００３５】
これによって、本発明の有効性が確認された。
【図面の簡単な説明】
【００３６】
【図１】本発明の第１の実施形態を説明する断面図である。
【図２】図１のＸ-Ｘ矢視図である。
【図３】本発明の第２の実施形態を説明する断面図である。
【図４】従来技術（特許文献１）を説明する断面図である。
【符号の説明】
【００３７】
１  パイロットバーナ
１ａ  パイロットバーナ本体
２  点火トランス
３  火炎検出アンプ
１１  イグニションロッド
１２  グラウンドロッド
１３  碍子
１４  プラグ
１５  ガスパイプ
１６  エアパイプ
１７  バッフル
１８  保炎筒
１９  覗き窓
２０  導線
Ｇ  燃料ガス
Ａ  空気
Ｆ  火炎
Ｓ  スパーク
【図１】
2008209072.tif 000003
【図２】
2008209072.tif 000004
【図３】
2008209072.tif 000005
【図４】
2008209072.tif 000006